(57)【特許請求の範囲】
【請求項１】
ラッパテープ（４）用のテープ生地（４ａ）をそのテープ幅方向で二つ折りにして二重構造にする第１折り部（３０）と、該第１折り部（３０）を経たテープ生地（４ａ）をそのテープ幅方向で更に二つ折りにして四重構造にする第２折り部（３１）と、該第２折り部（３１）を経た後に得られるラッパテープ（４）をミシン（１２）へ向けて送り出す生地送出口部（３２）とを有していることを特徴とする二重折ラッパ部付き衣類の製造に用いる生地送りガイド。
【請求項２】
前記生地送出口部（３２）をミシン（１２）の縫製作業位置（Ｗ）へ向けた状態としつつ該生地送出口部（３２）へ至る一次側のガイド通路をミシン（１５）側方部へターンさせて周辺装置に邪魔にならない構造にしてあることを特徴とする請求項１記載の二重折ラッパ部付き衣類の製造に用いる生地送りガイド。
【発明の詳細な説明】
【０００１】
【発明の属する技術分野】
本発明は、二重折ラッパ部付き衣類の製造に用いる生地送りガイドに関するものである。
【０００２】
【従来の技術】
シャツ（Ｔシャツ、ランニングシャツ、タンクトップ等をはじめ、各種の下着類を含む）の首まわりや袖口、或いはパンツの袖口（脚を通す口）など、衣類には、身生地によって形成された開口部が設けられている。そして、このような開口部には、例えば図６に示すようなラッパ部１００が縁取り状に設けられている。
このラッパ部１００は、芯入りラッパと呼ばれるもので、身生地１０１における生地端の表裏を包み込む状態に取り付けられた二つ折り構造のラッパテープ１０２と、このラッパテープ１０２の包み込み内部に巻き込むかたちで設けられる芯テープ１０３とを有している。
【０００３】
言うまでもなく、ラッパテープ１０２は、その折り山が上記した身生地１０１の開口部１０５の内方へ向けた状態に取り付けられている。
なお、図例では、芯テープ１０３が身生地１０１の表裏両面に跨るようにして設けられているが、身生地１０１の外面だけとする場合や内面だけとする場合、或いは身生地１０１の外面だけに二重に設ける場合等、種々のものが提案されている。
【０００４】
【発明が解決しようとする課題】
上記従来のラッパ部１００では、身生地１０１の内面側（図６中の下方）でラッパテープ１０２の端縁と芯テープ１０３の端縁とを一致させて重ね（Ｘで示す位置）、その状態のまま縫製するようにしていたが、これらの端縁が出入り方向に位置ズレを起こすことがあった。
芯テープ１０３には、機能面を重視し体裁は殆ど無視した材料を用いているのが普通であるから、芯テープ１０３の端縁がラッパテープ１０２の端縁からはみ出すようになった場合は、非常に見苦しく、衣類全体としての外観も低級化してしまうことになっていた。
【０００５】
しかも、芯テープ１０３の材料はやや硬めとなっているから、この衣類の着心地や肌触りとして、違和感やゴワツキ感、場合によっては不快感を感じさせてしまうということもあった。
一方、このようなラッパ部１００付きの衣類を製造する場合、ラッパ部１００を縫製するうえで、ラッパテープ１０２については自動供給することも可能であったが、芯テープ１０３については人手による供給を行っていたので、作業が面倒且つ複雑となり、このことが作業効率を高めるうえで重大なネックとなっていた。
【０００６】
本発明は、上記事情に鑑みてなされたものであり、外観的な低級化が起こるのを防止すると共に、着心地や肌触りを良好にさせることができる二重折ラッパ部付き衣類を製造するに際して二重折ラッパ部の縫製作業を簡単且つ高能率で行えるようにした生地送りガイドを提供することを目的とする。
【０００７】
【課題を解決するための手段】
本発明は、上記目的を達成するために以下の技術的手段を講じた。
すなわち、本発明で製造される二重折ラッパ部付き衣類は、身生地によって形成された開口部の生地端位置に二重折ラッパ部による縁取りを備えたものである。
そして、上記二重折ラッパ部は、テープ生地をそのテープ幅方向で二つ折りにして第１の折り山を形成させつつ二重構造にした後、更にそのテープ幅方向で二つ折りして第２の折り山を形成しつつ四重構造としたラッパテープを有したものとなっている。
【０００８】
そして、この四重構造とされた中で形成されるＵ字形の折り山を上記開口部の内方へ向けるようにして、身生地の生地端の表裏を包み込む状態に取り付けられている。
このような構成とすれば、ラッパテープ単独でも所定の厚み（ボリュウム）及び強度（腰）を持たせられるので、わざわざその内部へ芯テープを設ける必要はなくなる。
すなわち、この二重折ラッパ部は、ラッパテープ及び身生地を含めて全５層構造とすることができるのである。
【０００９】
そのため、芯テープがはみ出して外観を悪くするといったことや、この二重折ラッパ部付き衣類を着用したときに違和感やゴワツキ感、或いは不快感を覚えるといったことを全て解消できる。
また本発明においては、万が一、ラッパテープの第２の折り山の先にできる生地端の重ね合わせ部分に対し、出入り方向の位置ズレが生じたとしても、この位置ズレした部分相互は、一枚のテープ生地によって形成された同質・同色の生地同士であるから、位置ズレしていることが目立たない（即ち、見栄えが悪くなることはない）という利点がある。
【００１０】
一方、本発明に係る二重折ラッパ部付き衣類の製造に用いる生地送りガイドは、ラッパテープ用のテープ生地をそのテープ幅方向で二つ折りにして二重構造にする第１折り部と、この第１折り部を経たテープ生地をそのテープ幅方向で更に二つ折りにして四重構造にする第２折り部と、この第２折り部を経た後に得られるラッパテープをミシンへ向けて送り出す生地送出口部とを有している。
このような生地送りガイドを使用することで、ラッパテープを自動で、且つ四重構造となるＵ字形の折り姿にしつつ、ミシンへ送り出すことができる。そのため、二重折ラッパ部付き衣類を製造するに際して二重折ラッパ部の縫製作業が簡単且つ高能率で行えるようになる。
【００１１】
なお、生地送出口部をミシンの縫製作業位置へ向けた状態としつつ、この生地送出口部へ至る一次側のガイド通路をミシン側方部へターンさせて周辺装置に邪魔にならない構造にするのが好適である。
このようにすることで、ミシンとの配置的な干渉を避けることが簡単にできる。
【００１２】
【発明の実施の形態】
以下、本発明の実施の形態を図面を参照して説明する。
図２は、本発明で製造される二重折ラッパ部付き衣類１をＴシャツとした場合の一例を示しており、図１は、この衣類１の首まわりを形成している開口部２に対して二重折ラッパ部３による縁取りを縫製する状況を拡大して示している。
また、図３は、上記二重折ラッパ部３を縫製するに際して使用する本発明に係る生地送りガイド５の一実施形態を示しており、図４は、この生地送りガイド５による生地送り状況を判りやすく説明したものである。
【００１３】
まず、衣類１に設けられた二重折ラッパ部３について説明する。
図１に示すように、この二重折ラッパ部３は細帯状を呈するラッパテープ４によって形成されている。このラッパテープ４は、テープ生地４ａをそのテープ幅方向で二つ折りにして第１の折り山６を形成しつつ二重構造にした後、更にそのテープ幅方向で二つ折りして第２の折り山７を形成しつつ四重構造にしたもので、その全体としての断面形状は、二重の断面Ｕ字形を呈するようになっている。
このラッパテープ４は、断面Ｕ字形を呈する中で形成された第２の折り山７を衣類１の開口部２内（図１右方）へ向けた状態とされ、且つ、身生地１０の生地端の表裏を包み込むように取り付けられている。
【００１４】
またこの場合、第１の折り山６は、衣類１の外向き面に向くように位置付けられている。
このラッパテープ４は、上記した二重の断面Ｕ字形（全四重構造）となった状態で、身生地１０を合わせた全５層構造としてミシン１２により縫着されている。
このような構成の二重折ラッパ部３を備える衣類１であると、芯テープ（図６中の符号１０３参照）がないために、従来の問題であったこの芯テープのはみ出しは決して起こらない。
【００１５】
従って、この芯テープのはみ出しを原因として衣類１の見栄えが低級化することはなくなり、またこの衣類１の着用時に、違和感やゴワツキ感、或いは不快感を感じることはなくなる。
次に、上記二重折ラッパ部３を縫製する場合を例に挙げて、本発明に係る生地送りガイド５を説明する。
なお図５は、この生地送りガイド５がミシン１２に対して取り付けられた状態を、模式的な平面図にして示したものである。この図５から明らかなように、この生地送りガイド５は、ミシン１２の縫製作業位置Ｗ（針板等の設けられた位置）へ向けてラッパテープ４を送り込むことができるように、ミシン１２に対する生地送り方向の一次側の側部（図５中の右方）に取り付けられている。
【００１６】
この生地送りガイド５は、その側面に設けられた取付部２８（図５参照）を介して、ミシン１２の適所に取り付けられている。
図３に示すように、この生地送りガイド５は、第１折り部３０と第２折り部３１と生地送出口部３２とを有している。なお、これら各部には構造的に明確な区画があるわけではなく、図４に示すテープ生地４ａの折り状態や送出状態等（即ち、各部により奏される作用）を基準にして設定されたものである。
第１折り部３０は、ラッパテープ４用のテープ生地４ａをそのテープ幅方向で二つ折りにして二重構造とさせるところである。テープ生地４ａは、図３中の右方側からガイド内へ挿入される。
【００１７】
第２折り部３１は、この第１折り部３０を経たテープ生地４ａをそのテープ幅方向で更に二つ折りにして四重構造にするところである。
生地送出口部３２は、第２折り部３１を経た時点で整形されているラッパテープ４をミシン１０の縫製作業部Ｗ（図３中の左方側）へ向けて送り出すところである。この生地送出口部３２は、実質的に第２折り部３１と同じ部位に設けることもできる。
本実施形態では、この生地送出口部３２から送り出されるラッパテープ４が平面的に見てＬ字状に送出方向を曲げられた後、ミシン１２へ向けて直進するようにしている（図５等参照）。
【００１８】
この説明から明らかなように、この生地送りガイド５は、生地送出口部３２から見た状態で言えば、この生地送出口部３２へ至る一次側のガイド通路をミシン１２の側方部へターンさせた状態となっている。
従って、この生地送りガイド５に対してテープ生地４ａが挿入される部分（挿入口部）は、ミシン１２の後方（図５上方）に向いており、各テープ生地４ａのストック位置（図示略）はミシン１２の背後に配置されることになる。このため、この生地送りガイド５は、ミシン１２をはじめその他の周辺装置に邪魔にならない。
【００１９】
なお、テープ生地４ａは、生地送りガイド５への挿入段階でその幅方向が扁平（略水平）とされる状態であり、第１折り部３０では二つ折りされながらその幅方向を起立させる状態とされ、第２折り部３１ではこの二つ折り状態を真横奥へ折り込むような状態とされる。
このようにして、生地送出口部３２において、ラッパテープ４としての所定の断面形状であり、且つミシン１２での身生地１０との合体及び縫製に好都合な姿勢が与えられるようになっている。
【００２０】
この生地送りガイド５には、テープ生地７ａを扁平状態で挿入させるために、その挿入経路に針金材で形成した生地さばきガイド３５（図３参照）が設けられている。
このようにして、二重折ラッパ部３付きの衣類１を製造するに際して、この二重折ラッパ部３の縫製作業がいとも簡単且つ高能率で行えるようになる。
本発明は、上記実施形態に限定されるものではなく、細部の構造や各部寸法関係、使用素材、用途等に関して適宜変更が可能である。
【００２１】
例えば、衣類１としてこの二重折ラッパ部３を設ける位置や、衣類１の種類等についても何ら限定されるものではない。
【００２２】
【発明の効果】
以上の説明から明らかなように、本発明で製造される二重折ラッパ部付き衣類では、外観的な低級化が防止できると共に、着心地や肌触りを良好にさせることができる。
一方、本発明に係る二重折ラッパ部付き衣類の製造に用いる生地送りガイドでは、二重折ラッパ部付き衣類を製造するに際して二重折ラッパ部の縫製作業を簡単且つ高能率で行えるようになった。
【図面の簡単な説明】
【図１】  図３のＡ−Ａ線拡大断面図（二重折ラッパ部を縫製する状況を示した拡大断面図）である。
【図２】  本発明で製造される二重折ラッパ部付き衣類をＴシャツとした場合の一例を示している。
【図３】  二重折ラッパ部を縫製するに際して使用する本発明に係る生地送りガイドの一実施形態を示した斜視図である。
【図４】  生地送りガイドによりラッパテープ用のテープ生地が生地送りされる状況を判りやすく説明した斜視図である。
【図５】  本発明に係る生地送りガイドがミシンに対して取り付けられた状態を模式的に示した平面図である。
【図６】  従来のラッパ部を縫製する状況を示した拡大断面図である。
【符号の説明】
１      衣類
２      開口部
３      二重折ラッパ部
５      生地送りガイド
４      ラッパテープ
４ａ    テープ生地
６      第１の折り山
７      第２の折り山
１０      身生地
１２      ミシン
３０      第１折り部
３１      第２折り部
３２      生地送出口部
Ｗ      縫製作業位置
【図１】
0004028204.tif 000002
【図２】
0004028204.tif 000003
【図３】
0004028204.tif 000004
【図４】
0004028204.tif 000005
【図５】
0004028204.tif 000006
【図６】
0004028204.tif 000007